(57)【要約】【課題】  水平ブレースを柱以外の部材に簡易に取付け可能にすること。【解決手段】  建物ユニット１０の梁１３の内側面に水平ブレース２０の端部が取付けられてなるもの。【選択図】  図３
2006348490.tif 000002
【特許請求の範囲】
【請求項１】
建物ユニットの梁の内側面に水平ブレースの端部が取付けられてなるブレースの取付構造。
【請求項２】
第１の建物ユニットの梁の内側面に第１の水平ブレースの端部が第１の取付プレートを介して取付けられ、第２の建物ユニットの梁の内側面に第２の水平ブレースの端部が第２の取付プレートを介して取付けられ、第１と第２の取付プレートが両者及び第１と第２の建物ユニットの梁を貫通する接合具で固定されてなるブレースの取付構造。
【請求項３】
第１の建物ユニットの梁の内側面に水平ブレースの端部が取付プレートを介して取付けられ、第２の建物ユニットの梁の内側に吹抜け部を区画し、取付プレートが当該取付プレート及び第１と第２の建物ユニットの梁を貫通する接合具で固定されてなるブレースの取付構造。
【請求項４】
前記第２の建物ユニットの梁の内側面に、前記接合具が貫通し、該接合具により締結される補強プレートを設け、該補強プレートが第２の建物ユニットの上記梁に交差配置される他の梁にも接合されてなる請求項３に記載のブレースの取付構造。
【請求項５】
前記第１と第２の建物ユニットの梁の間に、前記接合具が貫通し、該接合具により挟着されるスペーサを介装してなる請求項２又は３に記載のブレースの取付構造。
【請求項６】
前記建物ユニットが柱省略コーナー部を有し、前記水平ブレースの端部が柱省略コーナー部に交差配置される梁の内側面に取付けられてなる請求項１〜５のいずれかに記載のブレースの取付構造。
【発明の詳細な説明】
【技術分野】
【０００１】
本発明は建物ユニットに用いて好適なブレースの取付構造に関する。
【背景技術】
【０００２】
ユニット建物を構成する建物ユニットとして、特許文献１に記載の如く、柱と床梁と天井梁を箱形に接合し、天井面（又は床面）の水平構面の対角線上に位置する柱間に水平ブレースを取付けてなるものが知られている。
【特許文献１】特開平11-303223
【発明の開示】
【発明が解決しようとする課題】
【０００３】
従来の建物ユニットにおいて、水平ブレースは柱に取付けられる。しかしながら、柱省略建物ユニット等の特殊な建物ユニットでは、柱が水平ブレースの取付けに不適な形態をしていたり、柱自体が存在しないこともある。
【０００４】
本発明の課題は、水平ブレースを柱以外の部材に簡易に取付け可能にすることにある。
【課題を解決するための手段】
【０００５】
請求項１の発明は、建物ユニットの梁の内側面に水平ブレースの端部が取付けられてなるブレースの取付構造である。
【０００６】
請求項２の発明は、第１の建物ユニットの梁の内側面に第１の水平ブレースの端部が第１の取付プレートを介して取付けられ、第２の建物ユニットの梁の内側面に第２の水平ブレースの端部が第２の取付プレートを介して取付けられ、第１と第２の取付プレートが両者及び第１と第２の建物ユニットの梁を貫通する接合具で固定されてなるブレースの取付構造である。
【０００７】
請求項３の発明は、第１の建物ユニットの梁の内側面に水平ブレースの端部が取付プレートを介して取付けられ、第２の建物ユニットの梁の内側に吹抜け部を区画し、取付プレートが当該取付プレート及び第１と第２の建物ユニットの梁を貫通する接合具で固定されてなるブレースの取付構造である。
【０００８】
請求項４の発明は、請求項３の発明において更に、前記第２の建物ユニットの梁の内側面に、前記接合具が貫通し、該接合具により締結される補強プレートを設け、該補強プレートが第２の建物ユニットの上記梁に交差配置される他の梁にも接合されてなるようにしたものである。
【０００９】
請求項５の発明は、請求項２又は３の発明において更に、前記第１と第２の建物ユニットの梁の間に、前記接合具が貫通し、該接合具により挟着されるスペーサを介装してなるようにしたものである。
【００１０】
請求項６の発明は、請求項１〜５のいずれかの発明において更に、前記建物ユニットが柱省略コーナー部を有し、前記水平ブレースの端部が柱省略コーナー部に交差配置される梁の内側面に取付けられてなるようにしたものである。
【発明の効果】
【００１１】
（請求項１）
(a)水平ブレースの端部が梁の内側面に取付けられる。従って、建物ユニットの柱の有無、柱の形態に関係なく、水平ブレースを取付けできる。
【００１２】
（請求項２）
(b)第１と第２の水平ブレースに連結した第１と第２の取付プレートのそれぞれが、第１と第２の建物ユニットの梁の内側面のそれぞれに接合具を用いて固定され、第１と第２の建物ユニットを相互に連結しながらそれらの水平構面をともに補強できる。しかも、第１と第２の水平ブレースの取付けのための接合具を共用化でき、コスト低減できる。また、接合具は第１と第２の建物ユニットの梁をその内側面において水平方向から貫通するものになるから、接合具の取付作業は水平方向から行ない、上下方向において行なうものでない点で、それらの建物ユニットと上階建物ユニットとの上下接合部に干渉する機会を低減でき、その取付作業性も向上できる。
【００１３】
（請求項３）
(c)水平ブレースに連結した取付プレートが、第１の建物ユニットの梁の内側面に、第２の建物ユニットの吹抜け部を区画する梁とともに、接合具を用いて固定され、第１と第２の建物ユニットを相互に連結しながらそれらの水平構面をともに補強できる。また、接合具は第１と第２の建物ユニットの梁をその内側面において水平方向から貫通するものになるから、接合具の取付作業は水平方向から行ない、上下方向において行なうものでない点で、それらの建物ユニットと上階建物ユニットとの上下接合部に干渉する機会を低減でき、その取付作業性も向上できる。
【００１４】
（請求項４）
(d)補強プレートが第２の建物ユニットの吹抜け部を区画する梁の内側面に上述(c)の接合具を用いて固定され、該補強プレートが第２の建物ユニットの上記梁に交差配置される他の梁にも接合され、第１と第２の建物ユニットの水平構面を一層補強できる。しかも、水平ブレースと補強プレートの取付けのための接合具を共用化でき、コスト低減できる。
【００１５】
（請求項５）
(e)第１と第２の建物ユニットの梁の間に、接合具が貫通し、該接合具により挟着されるスペーサを介装することにより、それらの建物ユニットを相互に強固に連結できる。
【００１６】
（請求項６）
(f)建物ユニットが柱省略コーナー部を有するとき、水平ブレースを柱省略コーナー部の側傍にて確実に取付けできる。
【発明を実施するための最良の形態】
【００１７】
図１は柱省略建物ユニットを示す斜視図、図２は柱に対する水平ブレースの取付構造を示し、（Ａ）は平面図、（Ｂ）は側面図、図３は梁に対する水平ブレースの取付構造を示し、（Ａ）は平面図、（Ｂ）は側面図、図４は２つの柱省略建物ユニットを隣接設置してなるユニット建物を示す平面図、図５は２つの柱省略建物ユニットの梁に対する水平ブレースの取付構造を示し、（Ａ）は平面図、（Ｂ）は側面図、図６は２つの柱省略建物ユニットを隣接設置してなるユニット建物の変形例を示す平面図、図７は２つの柱省略建物ユニットの梁に対する水平ブレースの取付構造の変形例を示し、（Ａ）は平面図、（Ｂ）は側面図である。
【実施例】
【００１８】
（実施例１）（図１〜図３）
図１の柱省略建物ユニット１０は、角鋼管製柱１１とＣ形鋼製床梁１２とＣ形鋼製天井梁１３を箱形に接合した骨組構造体であり、少なくとも１個、本実施例では相隣る２個のコーナー部を柱省略コーナー部１４としてなるものである。
【００１９】
柱省略建物ユニット１０は、柱１１が存在するコーナー部で、柱１１の下端部の相交差する２面のそれぞれに固定されるＣ形鋼製接続ピース１１Ａに妻側（短辺側）と桁側（長辺側）の各床梁１２の端部を抱持させて接続し、柱１１の上端部の相交差する２面のそれぞれに固定されるＣ形鋼製接続ピース１１Ｂに妻側と桁側の各天井梁１３の端部を抱持させて接続する。
【００２０】
柱省略建物ユニット１０は、柱省略コーナー部１４の下部で、床梁１２の交差部に短柱１５を設け、短柱１５の相交差する２面のそれぞれに固定されるＣ形鋼製接続ピース１５Ａに妻側と桁側の各床梁１２の端部を抱持させて接続する。また、柱省略建物ユニット１０は、柱省略コーナー部１４の上部で、妻側の天井梁１３の端部を抱持するように設けた接続ピース１３Ａと、桁側の天井梁１３の端部を抱持するように設けた接続ピース１３Ｂを互いに突き合せる等して接続する。尚、柱省略建物ユニット１０は、製造過程、建築現場への輸送据付段階で、柱省略コーナー部１４の下部と上部の間に仮柱１６を仮置きする。
【００２１】
柱省略建物ユニット１０は、天井の水平構面のＸ字状をなす２つの対角線上のそれぞれに位置する柱１１と柱省略コーナー部１４の間に、丸鋼からなる水平ブレース２０をターンバックル２３により張力を調整して張設される。水平ブレース２０の取付構造は以下の如くになされる。
【００２２】
（Ａ）柱１１への水平ブレース２０の取付構造（図２）
柱１１の妻側と桁側の接続ピース１１Ｂが固定される２面のそれぞれに、Ｌ形の取付プレート３０の相交差する２面のそれぞれが添設されてボルト３２により固定される（図２）。取付プレート３０は、相交差する２面に突き合せ溶接される平板状取付部３１を有し、水平ブレース２０の端部が固着された水平板２１がボルト２２により取付部３１に連結される。
【００２３】
（Ｂ）柱省略コーナー部１４への水平ブレース２０の取付構造（図３）
柱省略コーナー部１４に交差する桁側の天井梁１３の端部及び接続ピース１３Ｂのウエブ内側面に、平板状の取付プレート４０が添設されてボルト４２により固定される（図３）。取付プレート４０は、突き合せ溶接される平板状取付部４１を有し、水平ブレース２０の端部が固着された水平板２１がボルト２２により取付部４１に連結される。
【００２４】
本実施例によれば以下の作用効果を奏する。
(a)水平ブレース２０の端部が天井梁１３の内側面に取付けられる。従って、建物ユニット１０の柱１１の有無、柱１１の形態に関係なく、水平ブレース２０を取付けできる。
【００２５】
(b)建物ユニット１０が柱省略コーナー部１４を有するとき、水平ブレース２０を柱省略コーナー部１４の側傍にて確実に取付けできる。
【００２６】
（実施例２）（図４、図５）
図４はユニット建物１００の一部において、２つの柱省略建物ユニット１０、１０を隣接設置したものである。ユニット建物１００において、相隣る柱省略コーナー部１４のそれぞれに取付けられる水平ブレース２０の取付構造は図５の如くになる。尚、一方の柱省略建物ユニット１０を第１の柱省略建物ユニット１０Ａ、他方の柱省略建物ユニット１０を第２の柱省略建物ユニット１０Ｂとし、第１の柱省略建物ユニット１０Ａに設けられる水平ブレース２０を第１の水平ブレース２０Ａ、第２の柱省略建物ユニット１０Ｂに設けられる水平ブレース２０を第２の水平ブレース２０Ｂとし、第１の水平ブレース２０Ａのための取付プレート４０を第１の取付プレート４０Ａ、第２の水平ブレース２０Ｂのための取付プレート４０を第２の取付プレート４０Ｂとする。
【００２７】
第１の柱省略建物ユニット１０Ａの柱省略コーナー部１４に交差する桁側の天井梁１３の端部及び接続ピース１３Ｂのウエブ内側面に、第１の水平ブレース２０Ａの端部（水平板２１）がボルト２２、第１の取付プレート４０Ａ（取付部４１）を介してボルト４２により取付けられる。第２の柱省略建物ユニット１０Ｂの柱省略コーナー部１４に交差する桁側の天井梁１３の端部及び接続ピース１３Ｂのウエブ内側面に、第２の水平ブレース２０Ｂの端部（水平板２１）がボルト２２、第２の取付プレート４０Ｂ（取付部４１）を介してボルト４２により取付けられる。このとき、第１と第２の取付プレート４０Ａ、４０Ｂが、両者及び第１と第２の柱省略建物ユニット１０Ａ、１０Ｂの天井梁１３（接続ピース１３Ｂ）を貫通するボルト４２で固定される。尚、第１と第２の柱省略建物ユニット１０Ａ、１０Ｂの天井梁１３（接続ピース１３Ｂ）の間には、ボルト４２が貫通し、ボルト４２により挟着されるスペーサ４３が介装される。
【００２８】
本実施例によれば以下の作用効果を奏する。
(a)第１と第２の水平ブレース２０Ａ、２０Ｂに連結した第１と第２の取付プレート４０Ａ、４０Ｂのそれぞれが、第１と第２の柱省略建物ユニット１０Ａ、１０Ｂの天井梁１３の内側面のそれぞれにボルト４２を用いて固定され、第１と第２の柱省略建物ユニット１０Ａ、１０Ｂを相互に連結しながらそれらの水平構面をともに補強できる。しかも、第１と第２の水平ブレース２０Ａ、２０Ｂの取付けのためのボルト４２を共用化でき、コスト低減できる。また、ボルト４２は第１と第２の柱省略建物ユニット１０Ａ、１０Ｂの天井梁１３をその内側面において水平方向から貫通するものになるから、ボルト４２の取付作業は水平方向から行ない、上下方向において行なうものでない点で、それらの柱省略建物ユニット１０Ａ、１０Ｂと上階建物ユニットとの上下接合部に干渉する機会を低減でき、その取付作業性も向上できる。
【００２９】
(b)第１と第２の柱省略建物ユニット１０Ａ、１０Ｂの天井梁１３の間に、ボルト４２が貫通し、該ボルト４２により挟着されるスペーサ４３を介装することにより、それらの柱省略建物ユニット１０Ａ、１０Ｂを相互に強固に連結できる。
【００３０】
(c)柱省略建物ユニット１０Ａ、１０Ｂが柱省略コーナー部１４を有するとき、水平ブレース２０Ａ、２０Ｂを柱省略コーナー部１４の側傍にて確実に取付けできる。
【００３１】
（実施例３）（図６、図７）
図６はユニット建物２００の一部において、２つの柱省略建物ユニット１０、１０を隣接設置するに際し、１つの柱省略建物ユニット１０の天井部を水平ブレース２０が設けられない吹抜け部１７としたものである。ユニット建物２００において、相隣る柱省略コーナー部１４の一方に取付けられる水平ブレース２０の取付構造は図７の如くになる。尚、水平ブレース２０が設けられる一方の柱省略建物ユニット１０を第１の柱省略建物ユニット１０Ａ、吹抜け部１７が設けられる他方の柱省略建物ユニット１０を第２の柱省略建物ユニット１０Ｃとする。
【００３２】
第１の柱省略建物ユニット１０Ａの柱省略コーナー部１４に交差する桁側の天井梁１３の端部及び接続ピース１３Ｂのウエブ内側面に、水平ブレース２０の端部（水平板２１）がボルト２２、取付プレート４０（取付部４１）を介してボルト４２により取付けられる。第２の柱省略建物ユニット１０Ｃの天井梁１３の内側面に吹抜け部１７が区画される。このとき、取付プレート４０が、当該取付プレート４０及び第１と第２の柱省略建物ユニット１０Ａ、１０Ｃの天井梁１３（接続ピース１３Ｂ）を貫通するボルト４２で固定される。尚、第１と第２の柱省略建物ユニット１０Ａ、１０Ｃの天井梁１３（接続ピース１３Ｂ）の間には、ボルト４２が貫通し、ボルト４２により挟着されるスペーサ４３が介装される。
【００３３】
更に、第２の柱省略建物ユニット１０Ｃの天井梁１３（接続ピース１３Ｂ）の内側面には２個の補強プレート４４、４５が設けられる。補強プレート４４は、Ｌ形をなす２面にスチフナ４４Ａを接合されて補強され、複数のボルト４２のうち、柱省略コーナー部１４により近い位置に設けられるボルト４２が貫通して該ボルト４２により締結されるとともに、第２の柱省略建物ユニット１０Ｃの上記桁側の天井梁１３に柱省略コーナー部１４を介して交差配置される妻側の天井梁１３（接続ピース１３Ｂ）にボルト４２Ａにより接合される。補強プレート４５は、柱省略コーナー部１４から遠い位置に設けられるボルト４２が貫通して該ボルト４２により締結される。
【００３４】
本実施例によれば以下の作用効果を奏する。
(a)水平ブレース２０に連結した取付プレート４０が、第１の柱省略建物ユニット１０Ａの天井梁１３の内側面に、第２の柱省略建物ユニット１０Ｃの吹抜け部１７を区画する天井梁１３とともに、ボルト４２を用いて固定され、第１と第２の柱省略建物ユニット１０Ａ、１０Ｃを相互に連結しながらそれらの水平構面をともに補強できる。また、ボルト４２は第１と第２の柱省略建物ユニット１０Ａ、１０Ｃの天井梁１３をその内側面において水平方向から貫通するものになるから、ボルト４２の取付作業は水平方向から行ない、上下方向において行なうものでない点で、それらの柱省略物ユニット１０Ａ、１０Ｃと上階建物ユニットとの上下接合部に干渉する機会を低減でき、その取付作業性も向上できる。
【００３５】
(b)補強プレート４４が第２の柱省略建物ユニット１０Ｃの吹抜け部１７を区画する天井梁１３の内側面に上述(a)のボルト４２を用いて固定され、該補強プレート４４が第２の柱省略建物ユニット１０Ｃの上記天井梁１３に交差配置される他の天井梁１３にも接合され、第１と第２の柱省略建物ユニット１０Ａ、１０Ｃの水平構面を一層補強できる。しかも、水平ブレース２０と補強プレート４４の取付けのためのボルト４２を共用化でき、コスト低減できる。
【００３６】
(c)第１と第２の柱省略建物ユニット１０Ａ、１０Ｃの天井梁１３の間に、ボルト４２が貫通し、該ボルト４２により挟着されるスペーサ４３を介装することにより、それらの柱省略物ユニット１０Ａ、１０Ｃを相互に強固に連結できる。
【００３７】
(d)柱省略建物ユニット１０Ａ、１０Ｃが柱省略コーナー部１４を有するとき、水平ブレース２０を柱省略コーナー部１４の側傍にて確実に取付けできる。
【００３８】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明のブレースの取付構造は、柱を省略していない建物ユニットにも適用できる。また、本発明のブレースの取付構造は、建物ユニットの床の水平構面にも適用できる。
【図面の簡単な説明】
【００３９】
【図１】図１は柱省略建物ユニットを示す斜視図である。
【図２】図２は柱に対する水平ブレースの取付構造を示し、（Ａ）は平面図、（Ｂ）は側面図である。
【図３】図３は梁に対する水平ブレースの取付構造を示し、（Ａ）は平面図、（Ｂ）は側面図である。
【図４】図４は２つの柱省略建物ユニットを隣接設置してなるユニット建物を示す平面図である。
【図５】図５は２つの柱省略建物ユニットの梁に対する水平ブレースの取付構造を示し、（Ａ）は平面図、（Ｂ）は側面図である。
【図６】図６は２つの柱省略建物ユニットを隣接設置してなるユニット建物の変形例を示す平面図である。
【図７】図７は２つの柱省略建物ユニットの梁に対する水平ブレースの取付構造の変形例を示し、（Ａ）は平面図、（Ｂ）は側面図である。
【符号の説明】
【００４０】
１０  柱省略建物ユニット
１０Ａ  第１の柱省略建物ユニット
１０Ｂ、１０Ｃ  第２の柱省略建物ユニット
１１  柱
１２  床梁
１３  天井梁
１４  柱省略コーナー部
１７  吹抜け部
２０  水平ブレース
２０Ａ  第１の水平ブレース
２０Ｂ  第２の水平ブレース
４０  取付プレート
４０Ａ  第１の取付プレート
４０Ｂ  第２の取付プレート
４２  ボルト（接合具）
４３  スペーサ
４４  補強プレート
【図１】
2006348490.tif 000003
【図２】
2006348490.tif 000004
【図３】
2006348490.tif 000005
【図４】
2006348490.tif 000006
【図５】
2006348490.tif 000007
【図６】
2006348490.tif 000008
【図７】
2006348490.tif 000009